(57)【要約】  リソース構成方法および装置が提供される。本方法は、端末により、指示情報を受信するステップであって、指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、ステップと、端末により、指示情報に基づいて、第1の制御チャネルによって占有されるシンボルの数を決定するステップであって、第1の制御チャネルによって占有されるシンボルの数はシンボルの最大数以下である、ステップと、を含む。
2020503754.tif 000002
【特許請求の範囲】
【請求項１】
リソース構成方法であって、
端末により、指示情報を受信するステップであって、前記指示情報は第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、ステップと、
前記端末により、前記指示情報に基づいて、前記第1の制御チャネルによって占有されるシンボルの数を決定するステップであって、前記第1の制御チャネルによって占有される前記シンボルの数は前記シンボルの最大数以下である、ステップと、
を含む方法。
【請求項２】
前記サブキャリア幅は第1のサブキャリア幅および第2のサブキャリア幅を含み、前記第1の制御チャネルによって占有される前記シンボルの最大数は第1の最大シンボル数および第2の最大シンボル数を含み、前記第1の最大シンボル数は前記第1のサブキャリア幅に対応し、前記第2の最大シンボル数は前記第2のサブキャリア幅に対応し、
異なるサブキャリア幅が異なる最大シンボル数に対応することは、
前記第2の最大シンボル数に対する前記第1の最大シンボル数の比が、前記第2のサブキャリア幅に対する前記第1のサブキャリア幅の比に等しく、前記第1のサブキャリア幅が前記第2のサブキャリア幅とは異なること
を含む、請求項1に記載の方法。
【請求項３】
前記第1の制御チャネルによって占有される前記シンボルの数は、前記第1の制御チャネルの時間領域リソース領域に含まれるシンボルの最大数以下であり、前記時間領域リソース領域は予め定義されるか、または、前記時間領域リソース領域は、システム情報、上位レイヤシグナリング、もしくは初期アクセス情報によって示される、請求項1または2に記載の方法。
【請求項４】
前記端末により、前記指示情報に基づいて、前記第1の制御チャネルによって占有されるシンボルの数を決定する前記ステップは、
前記端末により、前記サブキャリア幅に基づいて、時間領域リソース領域に含まれる前記シンボルの最大数を決定するステップと、
前記端末により、前記時間領域リソース領域に含まれる前記シンボルの最大数を、前記第1の制御チャネルによって占有される前記シンボルの数として決定するステップと、
を含む、請求項1から3のいずれか一項に記載の方法。
【請求項５】
前記指示情報は、前記第1の制御チャネルによって占有される前記シンボルの数を示すためにさらに使用される、請求項1または2に記載の方法。
【請求項６】
前記指示情報および前記第1の制御チャネルは同じスロット内にある、請求項5に記載の方法。
【請求項７】
前記端末により、前記指示情報に基づいて、前記第1の制御チャネルによって占有されるシンボルの数を決定する前記ステップは、
前記端末により、前記指示情報が受信されたスロットの後の第Mのスロット内の前記指示情報に基づいて、前記第1の制御チャネルによって前記第Mのスロットで占有されるシンボルの数を決定するステップであって、Mは1以上の正の整数である、ステップ
を含む、請求項5に記載の方法。
【請求項８】
前記端末により、前記指示情報に基づいて、前記第1の制御チャネルによって占有されるシンボルの数を決定する前記ステップは、
前記端末により、前記指示情報が受信されたスロットの後の第Pのスロットから始まるN個の連続するスロット内の前記指示情報に基づいて、前記第1の制御チャネルによって前記N個のスロットの各々で占有されるシンボルの数を決定するステップであって、PおよびNは1より大きい正の整数である、ステップ
を含む、請求項1または2に記載の方法。
【請求項９】
Nは予め設定された値であるか、またはNは受信された上位レイヤシグナリング構成に基づいて前記端末によって決定される、請求項8に記載の方法。
【請求項１０】
前記端末により、前記指示情報に基づいて、前記第1の制御チャネルによって占有されるシンボルの数を決定する前記ステップの後に、前記方法は、
前記端末により、前記第1の制御チャネルに関する制御情報を取得するステップであって、前記制御情報は、第2の制御チャネルに使用されるサブキャリア幅を示すために使用される、ステップと、
前記端末により、前記制御情報に基づいて、前記第2の制御チャネルによって占有されるシンボルの数を決定するステップと、
をさらに含む、請求項1から9のいずれか一項に記載の方法。
【請求項１１】
前記制御情報は、前記第2の制御チャネルによって占有される時間領域リソース領域をさらに示し、
前記端末により、前記制御情報に基づいて、前記第2の制御チャネルによって占有されるシンボルの数を決定する前記ステップは、
前記端末により、前記第2の制御チャネルに使用される前記サブキャリア幅に基づいて、前記第2の制御チャネルによって占有される前記時間領域リソース領域に含まれるシンボルの最大数を決定するステップと、
前記端末により、前記第2の制御チャネルによって占有される前記時間領域リソース領域に含まれる前記シンボルの最大数を、前記第2の制御チャネルによって占有される前記シンボルの数として決定するステップと、
を含む、請求項10に記載の方法。
【請求項１２】
前記端末により、前記指示情報に基づいて、前記第1の制御チャネルによって占有されるシンボルの数を決定する前記ステップの後に、前記方法は、
前記端末により、前記第1の制御チャネルに関する制御情報を取得するステップであって、前記制御情報は、第2の制御チャネルのデータチャネルに使用されるサブキャリア幅に関する情報を示すために使用される、ステップと、
前記端末により、前記データチャネルに使用される前記サブキャリア幅に基づいて、前記第2の制御チャネルに使用されるサブキャリア幅を決定するステップと、
前記端末により、前記第2の制御チャネルに使用される前記サブキャリア幅に基づいて、前記第2の制御チャネルによって占有されるシンボルの数を決定するステップと、
をさらに含む、請求項1から9のいずれか一項に記載の方法。
【請求項１３】
リソース構成方法であって、
アクセスネットワークデバイスにより、指示情報を生成するステップであって、前記指示情報は、第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、ステップと、
前記アクセスネットワークデバイスにより、前記指示情報を端末に送信するステップと、
を含む方法。
【請求項１４】
前記サブキャリア幅は第1のサブキャリア幅および第2のサブキャリア幅を含み、前記第1の制御チャネルによって占有される前記シンボルの最大数は第1の最大シンボル数および第2の最大シンボル数を含み、前記第1の最大シンボル数は前記第1のサブキャリア幅に対応し、前記第2の最大シンボル数は前記第2のサブキャリア幅に対応し、
異なるサブキャリア幅が異なる最大シンボル数に対応することは、
前記第2の最大シンボル数に対する前記第1の最大シンボル数の比が、前記第2のサブキャリア幅に対する前記第1のサブキャリア幅の比に等しく、前記第1のサブキャリア幅が前記第2のサブキャリア幅とは異なること
を含む、請求項13に記載の方法。
【請求項１５】
前記第1の制御チャネルによって占有される前記シンボルの数は、前記第1の制御チャネルの時間領域リソース領域に含まれるシンボルの最大数以下であり、前記時間領域リソース領域は予め定義されるか、または、前記時間領域リソース領域は、システム情報、上位レイヤシグナリング、もしくは初期アクセス情報によって示される、請求項13または14に記載の方法。
【請求項１６】
前記指示情報は、前記指示情報が送信されるスロットで送信される前記第1の制御チャネルによって占有されるシンボルの数を示す、請求項13から15のいずれか一項に記載の方法。
【請求項１７】
前記指示情報は、前記指示情報が送信されるスロットの後の第Mのスロットで送信される前記第1の制御チャネルによって占有されるシンボルの数を示し、Mは1以上の正の整数である、請求項13から15のいずれか一項に記載の方法。
【請求項１８】
前記指示情報は、前記指示情報が送信されるスロットの後の第Pのスロットから始まるN個の連続するスロットの各々で送信される前記第1の制御チャネルによって占有されるシンボルの数を示し、PおよびNは1より大きい正の整数である、請求項13から15のいずれか一項に記載の方法。
【請求項１９】
前記指示情報は、前記指示情報が送信されるサブフレームの第1のスロットにあり、
前記指示情報は、前記サブフレームに含まれる各スロットにおいて、前記第1の制御チャネルを送信するために使用される時間−周波数リソースを示す、請求項13から15のいずれか一項に記載の方法。
【請求項２０】
前記方法は、
前記アクセスネットワークデバイスにより、前記第1の制御チャネルを送信するために使用される時間−周波数リソースを使用することによって制御情報を送信するステップ
をさらに含み、
前記制御情報は、第2の制御チャネルに使用されるサブキャリア幅を示すために使用されるか、または前記制御情報は、第2の制御チャネルのデータチャネルのサブキャリア幅に関する情報を示すために使用される、請求項13から19のいずれか一項に記載の方法。
【請求項２１】
前記制御情報は、前記第2の制御チャネルによって占有される時間領域リソース領域をさらに示す、請求項20に記載の方法。
【請求項２２】
リソース構成装置であって、
指示情報を受信するように構成されたトランシーバユニットであって、前記指示情報は第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、トランシーバユニットと、
前記指示情報に基づいて、前記第1の制御チャネルによって占有されるシンボルの数を決定するように構成された処理ユニットであって、前記第1の制御チャネルによって占有される前記シンボルの数は前記シンボルの最大数以下である、処理ユニットと、
を含む装置。
【請求項２３】
前記サブキャリア幅は第1のサブキャリア幅および第2のサブキャリア幅を含み、前記第1の制御チャネルによって占有される前記シンボルの最大数は第1の最大シンボル数および第2の最大シンボル数を含み、前記第1の最大シンボル数は前記第1のサブキャリア幅に対応し、前記第2の最大シンボル数は前記第2のサブキャリア幅に対応し、
異なるサブキャリア幅が異なる最大シンボル数に対応することは、
前記第2の最大シンボル数に対する前記第1の最大シンボル数の比が、前記第2のサブキャリア幅に対する前記第1のサブキャリア幅の比に等しく、前記第1のサブキャリア幅が前記第2のサブキャリア幅とは異なること
を含む、請求項22に記載の装置。
【請求項２４】
前記第1の制御チャネルによって占有される前記シンボルの数は、前記第1の制御チャネルの時間領域リソース領域に含まれるシンボルの最大数以下であり、前記時間領域リソース領域は予め定義されるか、または、前記時間領域リソース領域は、システム情報、上位レイヤシグナリング、もしくは初期アクセス情報によって示される、請求項22または23に記載の装置。
【請求項２５】
前記処理ユニットは、
前記サブキャリア幅に基づいて、時間領域リソース領域に含まれる前記シンボルの最大数を決定し、
前記時間領域リソース領域に含まれる前記シンボルの最大数を、前記第1の制御チャネルによって占有される前記シンボルの数として決定する
ようにさらに構成される、請求項22から24のいずれか一項に記載の装置。
【請求項２６】
前記指示情報は、前記第1の制御チャネルによって占有される前記シンボルの数を示すためにさらに使用される、請求項22または23に記載の装置。
【請求項２７】
前記指示情報および前記第1の制御チャネルは同じスロット内にある、請求項26に記載の装置。
【請求項２８】
前記処理ユニットは、
前記指示情報が受信されたスロットの後の第Mのスロット内の前記指示情報に基づいて、前記第1の制御チャネルによって前記第Mのスロットで占有されるシンボルの数を決定し、Mは1以上の正の整数である、
ようにさらに構成される、請求項26に記載の装置。
【請求項２９】
前記処理ユニットは、
前記指示情報が受信されたスロットの後の第Pのスロットから始まるN個の連続するスロット内の前記指示情報に基づいて、前記第1の制御チャネルによって前記N個のスロットの各々で占有されるシンボルの数を決定し、PおよびNは1より大きい正の整数である、
ようにさらに構成される、請求項22または23に記載の装置。
【請求項３０】
Nは予め設定された値であるか、またはNは受信された上位レイヤシグナリング構成に基づいて前記装置によって決定される、請求項29に記載の装置。
【請求項３１】
前記トランシーバユニットは、
前記第1の制御チャネルに関する制御情報を取得し、前記制御情報は、第2の制御チャネルに使用されるサブキャリア幅を示すために使用される、
ようにさらに構成され、
前記処理ユニットは、
前記制御情報に基づいて、前記第2の制御チャネルによって占有されるシンボルの数を決定する
ようにさらに構成される、請求項22から30のいずれか一項に記載の装置。
【請求項３２】
前記制御情報は、前記第2の制御チャネルによって占有される時間領域リソース領域をさらに示し、
前記処理ユニットは、
前記第2の制御チャネルに使用される前記サブキャリア幅に基づいて、前記第2の制御チャネルによって占有される前記時間領域リソース領域に含まれるシンボルの最大数を決定し、
前記第2の制御チャネルによって占有される前記時間領域リソース領域に含まれる前記シンボルの最大数を、前記第2の制御チャネルによって占有される前記シンボルの数として決定する
ようにさらに構成される、請求項31に記載の装置。
【請求項３３】
前記トランシーバユニットは、
前記第1の制御チャネルに関する制御情報を取得し、前記制御情報は、第2の制御チャネルのデータチャネルに使用されるサブキャリア幅に関する情報を示すために使用される、
ようにさらに構成され、
前記処理ユニットは、
前記データチャネルに使用される前記サブキャリア幅に基づいて、前記第2の制御チャネルに使用されるサブキャリア幅を決定し、前記第2の制御チャネルに使用される前記サブキャリア幅に基づいて、前記第2の制御チャネルによって占有されるシンボルの数を決定する
ようにさらに構成される、請求項22から32のいずれか一項に記載の装置。
【請求項３４】
リソース構成装置であって、
指示情報を生成するように構成された処理ユニットであって、前記指示情報は、第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、処理ユニットと、
前記指示情報を端末に送信するように構成されたトランシーバユニットと、
を含む装置。
【請求項３５】
前記サブキャリア幅は第1のサブキャリア幅および第2のサブキャリア幅を含み、前記第1の制御チャネルによって占有される前記シンボルの最大数は第1の最大シンボル数および第2の最大シンボル数を含み、前記第1の最大シンボル数は前記第1のサブキャリア幅に対応し、前記第2の最大シンボル数は前記第2のサブキャリア幅に対応し、
異なるサブキャリア幅が異なる最大シンボル数に対応することは、
前記第2の最大シンボル数に対する前記第1の最大シンボル数の比が、前記第2のサブキャリア幅に対する前記第1のサブキャリア幅の比に等しく、前記第1のサブキャリア幅が前記第2のサブキャリア幅とは異なること
を含む、請求項34に記載の装置。
【請求項３６】
前記第1の制御チャネルによって占有される前記シンボルの数は、前記第1の制御チャネルの時間領域リソース領域に含まれるシンボルの最大数以下であり、前記時間領域リソース領域は予め定義されるか、または、前記時間領域リソース領域は、システム情報、上位レイヤシグナリング、もしくは初期アクセス情報によって示される、請求項34または35に記載の装置。
【請求項３７】
前記指示情報は、前記指示情報が送信されるスロットで送信される前記第1の制御チャネルによって占有されるシンボルの数を示す、請求項34から36のいずれか一項に記載の装置。
【請求項３８】
前記指示情報は、前記指示情報が送信されるスロットの後の第Mのスロットで送信される前記第1の制御チャネルによって占有されるシンボルの数を示し、Mは1以上の正の整数である、請求項34から37のいずれか一項に記載の装置。
【請求項３９】
前記指示情報は、前記指示情報が送信されるスロットの後の第Pのスロットから始まるN個の連続するスロットの各々で送信される前記第1の制御チャネルによって占有されるシンボルの数を示し、PおよびNは1より大きい正の整数である、請求項34から38のいずれか一項に記載の装置。
【請求項４０】
前記指示情報は、前記指示情報が送信されるサブフレームの第1のスロットにあり、
前記指示情報は、前記サブフレームに含まれる各スロットにおいて、前記第1の制御チャネルを送信するために使用される時間−周波数リソースを示す、請求項34から39のいずれか一項に記載の装置。
【請求項４１】
コンピュータ記憶媒体であって、コンピュータプログラム命令が前記コンピュータ記憶媒体に格納され、前記コンピュータプログラム命令がプロセッサによって実行されたときに、請求項1から21のいずれか一項に記載の方法が実施される、コンピュータ記憶媒体。
【発明の詳細な説明】
【技術分野】
【０００１】
本願は、2016年12月31日に中国特許庁に提出された、「RESOURCE CONFIGURATION METHOD AND APPARATUS」という名称の中国特許出願第201611261986．3号の優先権を主張し、その全体が参照により本明細書に組み込まれる。
【０００２】
本願は通信技術の分野に関し、特に、リソース構成方法および装置に関する。
【背景技術】
【０００３】
第3世代パートナーシッププロジェクト（the 3rd Generation Partnership Project、3GPP）によって指定されたロングタームエボリューション（Long Term Evolution、LTE）システム標準規格は、第4世代無線アクセスシステム標準規格として考えられている。既存のLTEシステムでは、制御チャネルは、物理ダウンリンク制御チャネル（Physical Downlink Control Channel、PDCCH）および拡張物理ダウンリンク制御チャネル（Enhanced Physical Downlink Control Channel、EPDCCH）の2つのタイプを含む。時間領域では、PDCCHの時間−周波数リソース領域は、サブフレームの最初の0から3の直交周波数分割多重（Orthogonal Frequency Division Multiplexing、OFDM）シンボルに配置され、EPDCCHの時間−周波数リソース領域は、PDCCHのOFDMシンボルを除いたサブフレーム内のすべてのダウンリンクOFDMシンボルを占有する。周波数領域では、PDCCHの時間−周波数領域は全システム帯域幅を占め、EPDCCHの時間−周波数領域は周波数領域で少なくとも1つの物理リソースブロック（Physical Resource Block、PRB）の周波数領域幅を占有する。
【０００４】
従来技術では、PDCCHの時間−周波数リソースのサイズは、物理制御フォーマットインジケータチャネル（Physical Control Format Indicator Channel、PCFICH）チャネルで搬送される指示情報と、PBCHチャネルで搬送されるシステムブロードキャスト情報と、によって示され、PCFICHチャネルは、PDCCHの時間−周波数リソース領域によって時間領域で占有されるOFDMシンボルの数だけを示すために使用される2ビットの指示情報を搬送し、通常0から3個のOFDMシンボルがある。PDCCHの時間−周波数リソースの周波数領域サイズは、物理ブロードキャストチャネル（Physical Broadcast Channel、PBCH）で搬送されるシステムブロードキャスト情報によって間接的に示される。PDCCHの1つの領域の周波数領域サイズはシステム帯域幅サイズに等しいことが標準規格で予め定義されているので、システム帯域幅サイズを示し、かつPBCHチャネルで搬送される指示情報は、PDCCHの領域の周波数領域サイズを間接的に示すために使用することができる。システム帯域幅サイズは｛1．4MHz、3MHz、5MHz、10MHz、15MHz、20MHz｝を含み、マスター情報ブロック（master information block、MIB）はシステム帯域幅サイズを示すために使用される3ビット情報を含み、また、PDCCHの周波数領域サイズも3ビット情報に基づいて取得することができる。
【０００５】
EPDCCHの周波数領域リソースのサイズは、上位レイヤシグナリング（例えば、RRCシグナリング）を用いて示される。上位レイヤシグナリングは、EPDCCHのサブフレームと、EPDCCHによって占有されるPRBの周波数領域位置と、を示す。PRBは、一連の連続した周波数領域リソースを占有してもよく、または周波数領域において複数の不連続なPBRリソースブロックを占有してもよい。EPDCCHの時間領域サブフレームは、標準規格で予め定義されているサブフレーム（例えば、非マルチキャストチャネル用のサブフレーム、またはいくつかの無線フレーム構成下での非特殊サブフレーム）であり、また、EPDCCHによって時間領域で占有されるOFDMシンボルの数も、PCFICHチャネルの受信された指示情報に基づいて調整される必要がある、すなわち、EPDCCHによって占有される時間領域リソースは、PDCCHの時間−周波数リソースと直交する。
【０００６】
例えばNR（New Radio）における次世代無線通信システムでは、システムは複数のサブキャリア幅、例えば15kHz、30kHz、60kHz、および120kHzをサポートし、任意の2つのサブキャリアの幅の比は2nに等しく、ここでn＝−N、…、−2、−1、1、2、…、またはNである。制御チャネルの時間−周波数リソースは、複数のサブキャリア幅のうちの1つまたは複数を使用することができ、サブキャリア幅は予め定義または予め設定することができる。この場合、制御チャネルの時間領域の位置は変わらないが、制御チャネルに使用されるサブキャリア幅が例えば15kHzから30kHzに変化すると、制御チャネルのための領域に含まれるOFDMシンボルの数が増加し、PCFICHが使用される場合には、PCFICHによって示されるOFDMシンボルの最大数は、システムによって現在使用することができるOFDMシンボルの数より少ないので、その結果、端末は、指示された3つのOFDMシンボルを除いて、制御チャネルの周波数領域を識別することができない。したがって、制御チャネルによって占有される時間−周波数リソースを端末がどのように決定するかは、緊急に解決すべき問題になる。
【発明の概要】
【課題を解決するための手段】
【０００７】
本願の実施形態は、端末が制御チャネルによって占有される時間−周波数リソースを決定することができ、それによってリソース利用率を高めることができるようにリソース構成方法および装置を提供する。
【０００８】
第1の態様によれば、本願の一実施形態はリソース構成方法を提供し、本方法は、
端末により、指示情報を受信するステップであって、指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、ステップと、
端末により、指示情報に基づいて、第1の制御チャネルによって占有されるシンボルの数を決定するステップであって、第1の制御チャネルによって占有されるシンボルの数はシンボルの最大数以下である、ステップと、
を含む。
【０００９】
本願のこの実施形態で提供される方法によれば、指示情報を受信した後に、端末が第1の制御チャネルに使用されるサブキャリア幅を決定し、第1の制御チャネルに使用されるサブキャリア幅に対応するシンボルの最大数に基づいて、第1の制御チャネルによって占有されるシンボルの数を決定し、第1の制御チャネルによって占有される時間−周波数リソースを決定することができる。このようにして、端末は、第1の制御チャネルで搬送される情報を迅速に決定して、迅速にネットワークにアクセスすることができ、それによってリソース利用率を高めることができる。
【００１０】
任意選択で、サブキャリア幅は第1のサブキャリア幅および第2のサブキャリア幅を含み、第1の制御チャネルによって占有されるシンボルの最大数は第1の最大シンボル数および第2の最大シンボル数を含み、第1の最大シンボル数は第1のサブキャリア幅に対応し、第2の最大シンボル数は第2のサブキャリア幅に対応し、
異なるサブキャリア幅が異なる最大シンボル数に対応することは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【００１１】
任意選択で、第1の制御チャネルによって占有されるシンボルの数は、第1の制御チャネルの時間領域リソース領域に含まれるシンボルの最大数以下であり、時間領域リソース領域は予め定義されるか、または、時間領域リソース領域は、システム情報、上位レイヤシグナリング、もしくは初期アクセス情報によって示される。
【００１２】
任意選択で、端末により、第1の制御チャネルによって占有されるシンボルの数を決定するステップは、
端末により、サブキャリア幅に基づいて、時間領域リソース領域に含まれるシンボルの最大数を決定するステップと、
端末により、時間領域リソース領域に含まれるシンボルの最大数を、第1の制御チャネルによって占有されるシンボルの数として決定するステップと、
を含む。
【００１３】
本方法を用いることにより、端末は、時間領域リソース領域に含まれるシンボルの最大数を、第1の制御チャネルによって占有されるシンボルの数として直接決定し、第1の制御チャネルによって占有される時間−周波数リソースを迅速に決定する。
【００１４】
任意選択で、指示情報は、第1の制御チャネルによって占有されるシンボルの数を示すためにさらに使用される。
【００１５】
任意選択で、指示情報および第1の制御チャネルは同じスロット内にある。
【００１６】
任意選択で、端末により、第1の制御チャネルによって占有されるシンボルの数を決定するステップは、
端末により、指示情報が受信されたスロットの後の第Mのスロット内の指示情報に基づいて、第1の制御チャネルによって第Mのスロットで占有されるシンボルの数を決定するステップであって、Mは1以上の正の整数である、ステップ
を含む。
【００１７】
本方法によれば、第Mのスロットで送信される第1の制御チャネルに使用されるサブキャリア幅および／または第1の制御チャネルによって第Mのスロットで占有されるシンボルの数は、第Mのスロットの前のスロットで送信される指示情報によって示される。したがって、第Mのスロットで送信される第1の制御チャネルリソースに使用されるサブキャリア幅および／または第Mのスロットで送信される第1の制御チャネルリソースによって占有されるシンボルの数は、より柔軟に構成することができる。
【００１８】
任意選択で、端末により、指示情報に基づいて、第1の制御チャネルによって占有されるシンボルの数を決定するステップは、
端末により、指示情報が受信されたスロットの後の第Pのスロットから始まるN個の連続するスロット内の指示情報に基づいて、第1の制御チャネルによってN個のスロットの各々で占有されるシンボルの数を決定するステップであって、PおよびNは1より大きい正の整数である、ステップ
を含む。
【００１９】
本方法によれば、N個の連続するスロットの各々において送信される第1の制御チャネルに使用されるサブキャリア幅および／またはN個の連続するスロットの各々において送信される第1の制御チャネルによって占有されるシンボルの数は、N個のスロットの前のスロットで送信される指示情報によって示される。したがって、N個のスロットの各々において送信される第1の制御チャネルリソースに使用されるサブキャリア幅および／またはN個のスロットの各々において送信される第1の制御チャネルリソースによって占有されるシンボルの数は、より柔軟に構成することができる。
【００２０】
任意選択で、Nは予め設定された値であるか、またはNは受信された上位レイヤシグナリング構成に基づいて端末によって決定される。
【００２１】
任意選択で、端末により、指示情報に基づいて、第1の制御チャネルによって占有されるシンボルの数を決定するステップの後に、方法は、
端末により、第1の制御チャネルに関する制御情報を取得するステップであって、制御情報は、第2の制御チャネルに使用されるサブキャリア幅を示すために使用される、ステップと、
端末により、制御情報に基づいて、第2の制御チャネルによって占有されるシンボルの数を決定するステップと、
をさらに含む。
【００２２】
任意選択で、制御情報は、第2の制御チャネルによって占有される時間領域リソース領域をさらに示し、
端末により、制御情報に基づいて、第2の制御チャネルによって占有されるシンボルの数を決定するステップは、
端末により、第2の制御チャネルに使用されるサブキャリア幅に基づいて、第2の制御チャネルによって占有される時間領域リソース領域に含まれるシンボルの最大数を決定するステップと、
端末により、第2の制御チャネルによって占有される時間領域リソース領域に含まれるシンボルの最大数を、第2の制御チャネルによって占有されるシンボルの数として決定するステップと、
を含む。
【００２３】
任意選択で、端末により、指示情報に基づいて、第1の制御チャネルによって占有されるシンボルの数を決定するステップの後に、方法は、
端末により、第1の制御チャネルに関する制御情報を取得するステップであって、制御情報は、第2の制御チャネルのデータチャネルに使用されるサブキャリア幅に関する情報を示すために使用される、ステップと、
端末により、データチャネルに使用されるサブキャリア幅に基づいて、第2の制御チャネルに使用されるサブキャリア幅を決定するステップと、
端末により、第2の制御チャネルに使用されるサブキャリア幅に基づいて、第2の制御チャネルによって占有されるシンボルの数を決定するステップと、
をさらに含む。
【００２４】
第2の態様によれば、本願の一実施形態はリソース構成装置を提供し、リソース構成装置は、
指示情報を受信するように構成されたトランシーバユニットであって、指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、トランシーバユニットと、
指示情報に基づいて、第1の制御チャネルによって占有されるシンボルの数を決定するように構成された処理ユニットであって、第1の制御チャネルによって占有されるシンボルの数はシンボルの最大数以下である、処理ユニットと、
を含む。
【００２５】
任意選択で、サブキャリア幅は第1のサブキャリア幅および第2のサブキャリア幅を含み、第1の制御チャネルによって占有されるシンボルの最大数は第1の最大シンボル数および第2の最大シンボル数を含み、第1の最大シンボル数は第1のサブキャリア幅に対応し、第2の最大シンボル数は第2のサブキャリア幅に対応し、
異なるサブキャリア幅が異なる最大シンボル数に対応することは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【００２６】
任意選択で、第1の制御チャネルによって占有されるシンボルの数は、第1の制御チャネルの時間領域リソース領域に含まれるシンボルの最大数以下であり、時間領域リソース領域は予め定義されるか、または、時間領域リソース領域は、システム情報、上位レイヤシグナリング、もしくは初期アクセス情報によって示される。
【００２７】
任意選択で、処理ユニットは、具体的には、
サブキャリア幅に基づいて、時間領域リソース領域に含まれるシンボルの最大数を決定し、
時間領域リソース領域に含まれるシンボルの最大数を、第1の制御チャネルによって占有されるシンボルの数として決定する
ように構成される。
【００２８】
任意選択で、指示情報は、第1の制御チャネルによって占有されるシンボルの数を示すためにさらに使用される。
【００２９】
任意選択で、指示情報および第1の制御チャネルは同じスロット内にあり、
指示情報は、例えばPCFICHシグナリングなどの物理レイヤブロードキャストシグナリングであってもよく、物理レイヤブロードキャストシグナリングは、現在のスロット内の制御チャネルに使用されるシンボルの数を示すために使用される。
【００３０】
任意選択で、処理ユニットは、具体的には、
指示情報が受信されたスロットの後の第Mのスロット内の指示情報に基づいて、第1の制御チャネルによって第Mのスロットで占有されるシンボルの数を決定し、Mは1以上の正の整数である、
ように構成される。
【００３１】
任意選択で、処理ユニットは、具体的には、
指示情報が受信されたスロットの後の第Pのスロットから始まるN個の連続するスロット内の指示情報に基づいて、第1の制御チャネルによってN個のスロットの各々で占有されるシンボルの数を決定し、PおよびNは1より大きい正の整数である、
ように構成される。
【００３２】
任意選択で、Nは予め設定された値であるか、またはNは受信された上位レイヤシグナリング構成に基づいて装置によって決定される。
【００３３】
任意選択で、トランシーバユニットは、
第1の制御チャネルに関する制御情報を取得し、制御情報は、第2の制御チャネルに使用されるサブキャリア幅を示すために使用される、
ようにさらに構成され、
処理ユニットは、
制御情報に基づいて、第2の制御チャネルによって占有されるシンボルの数を決定する
ようにさらに構成される。
【００３４】
任意選択で、制御情報は、第2の制御チャネルによって占有される時間領域リソース領域をさらに示し、
処理ユニットは、具体的には、
第2の制御チャネルに使用されるサブキャリア幅に基づいて、第2の制御チャネルによって占有される時間領域リソース領域に含まれるシンボルの最大数を決定し、
第2の制御チャネルによって占有される時間領域リソース領域に含まれるシンボルの最大数を、第2の制御チャネルによって占有されるシンボルの数として決定する
ように構成される。
【００３５】
任意選択で、トランシーバユニットは、
第1の制御チャネルに関する制御情報を取得し、制御情報は、第2の制御チャネルのデータチャネルに使用されるサブキャリア幅に関する情報を示すために使用される、
ようにさらに構成され、
処理ユニットは、
データチャネルに使用されるサブキャリア幅に基づいて、第2の制御チャネルに使用されるサブキャリア幅を決定し、第2の制御チャネルに使用されるサブキャリア幅に基づいて、第2の制御チャネルによって占有されるシンボルの数を決定する
ようにさらに構成される。
【００３６】
第3の態様によれば、本願の一実施形態は端末をさらに提供し、端末は、
指示情報を受信するように構成されたトランシーバであって、指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、トランシーバと、
指示情報に基づいて、第1の制御チャネルによって占有されるシンボルの数を決定するように構成されたプロセッサであって、第1の制御チャネルによって占有されるシンボルの数はシンボルの最大数以下である、プロセッサと、
を含む。
【００３７】
任意選択で、サブキャリア幅は第1のサブキャリア幅および第2のサブキャリア幅を含み、第1の制御チャネルによって占有されるシンボルの最大数は第1の最大シンボル数および第2の最大シンボル数を含み、第1の最大シンボル数は第1のサブキャリア幅に対応し、第2の最大シンボル数は第2のサブキャリア幅に対応し、
異なるサブキャリア幅が異なる最大シンボル数に対応することは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【００３８】
任意選択で、第1の制御チャネルによって占有されるシンボルの数は、第1の制御チャネルの時間領域リソース領域に含まれるシンボルの最大数以下であり、時間領域リソース領域は予め定義されるか、または、時間領域リソース領域は、システム情報、上位レイヤシグナリング、もしくは初期アクセス情報によって示される。
【００３９】
任意選択で、任意選択で、プロセッサは、具体的には、
サブキャリア幅に基づいて、時間領域リソース領域に含まれるシンボルの最大数を決定し、
時間領域リソース領域に含まれるシンボルの最大数を、第1の制御チャネルによって占有されるシンボルの数として決定する
ように構成される。
【００４０】
任意選択で、指示情報は、第1の制御チャネルによって占有されるシンボルの数を示すためにさらに使用される。
【００４１】
任意選択で、指示情報および第1の制御チャネルは同じスロット内にある。
【００４２】
任意選択で、プロセッサは、具体的には、
指示情報が受信されたスロットの後の第Mのスロット内の指示情報に基づいて、第1の制御チャネルによって第Mのスロットで占有されるシンボルの数を決定し、Mは1以上の正の整数である、
ように構成される。
【００４３】
「指示情報が受信されたスロットの後の第Mのスロット」は、指示情報が受信されたスロットを含まず、第Mのスロット内の第1の制御チャネルに使用されるシンボルの数は変化してもよく、指示情報は、ダウンリンク制御指示情報であってもよく、ダウンリンク制御指示情報は、Mの値を示すために使用される指示情報をさらに含む。
【００４４】
任意選択で、プロセッサは、具体的には、
指示情報が受信されたスロットの後の第Pのスロットから始まるN個の連続するスロット内の指示情報に基づいて、第1の制御チャネルによってN個のスロットの各々で占有されるシンボルの数を決定し、PおよびNは1より大きい正の整数である、
ように構成される。
【００４５】
「指示情報を受信したスロットの後の第Pのスロット」は、指示情報を受信したスロットを含まず、第Pのスロットから始まるN個の連続するスロット内の第1の制御チャネルに使用されるシンボルの数は変化してもよい。
【００４６】
指示情報は、例えば無線リソース制御RRCシグナリングなどの、上位レイヤシグナリングであってもよく、上位レイヤシグナリングは予め定義されたPの値に対応する。
【００４７】
任意選択で、指示情報はダウンリンク制御指示情報であってもよく、ダウンリンク制御指示情報は、PおよびNの値を示すために使用される指示情報をさらに含む。
【００４８】
任意選択で、Nは予め設定された値であるか、またはNは受信された上位レイヤシグナリング構成に基づいて装置によって決定される。
【００４９】
任意選択で、トランシーバは、
第1の制御チャネルに関する制御情報を取得し、制御情報は、第2の制御チャネルに使用されるサブキャリア幅を示すために使用される、
ようにさらに構成され、
プロセッサは、
制御情報に基づいて、第2の制御チャネルによって占有されるシンボルの数を決定する
ようにさらに構成される。
【００５０】
任意選択で、制御情報は、第2の制御チャネルによって占有される時間領域リソース領域をさらに示し、
プロセッサは、具体的には、
第2の制御チャネルに使用されるサブキャリア幅に基づいて、第2の制御チャネルによって占有される時間領域リソース領域に含まれるシンボルの最大数を決定し、
第2の制御チャネルによって占有される時間領域リソース領域に含まれるシンボルの最大数を、第2の制御チャネルによって占有されるシンボルの数として決定する
ように構成される。
【００５１】
任意選択で、トランシーバは、
第1の制御チャネルに関する制御情報を取得し、制御情報は、第2の制御チャネルのデータチャネルに使用されるサブキャリア幅に関する情報を示すために使用される、
ようにさらに構成され、
プロセッサは、
データチャネルに使用されるサブキャリア幅に基づいて、第2の制御チャネルに使用されるサブキャリア幅を決定し、第2の制御チャネルに使用されるサブキャリア幅に基づいて、第2の制御チャネルによって占有されるシンボルの数を決定する
ようにさらに構成される。
【００５２】
第4の態様によれば、本願の一実施形態はコンピュータ記憶媒体を提供し、コンピュータ記憶媒体は、第2の態様または第3の態様で提供されるリソース構成装置によって使用されるコンピュータソフトウェア命令を格納するように構成され、コンピュータ記憶媒体は、第1の態様を実行するように設計されたプログラムを含む。
【００５３】
第5の態様によれば、本願の一実施形態はリソース構成方法を提供し、リソース構成方法は、
アクセスネットワークデバイスにより、指示情報を生成するステップであって、指示情報は、第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、ステップと、
アクセスネットワークデバイスにより、指示情報を端末に送信するステップと、
を含む。
【００５４】
本方法によれば、アクセスネットワークデバイスが、指示情報を使用して、第1の制御チャネルに使用されるサブキャリア幅を示すので、端末は、第1の制御チャネルに使用されるサブキャリア幅に基づいて、第1の制御チャネルに使用されるサブキャリア幅に対応するシンボルの最大数を決定し、第1の制御チャネルによって占有される時間−周波数リソースを決定し、第1の制御チャネルで搬送される情報を迅速に決定し、ネットワークに迅速にアクセスすることができ、それによってリソース使用率を高めることができる。
【００５５】
任意選択で、サブキャリア幅は第1のサブキャリア幅および第2のサブキャリア幅を含み、第1の制御チャネルによって占有されるシンボルの最大数は第1の最大シンボル数および第2の最大シンボル数を含み、第1の最大シンボル数は第1のサブキャリア幅に対応し、第2の最大シンボル数は第2のサブキャリア幅に対応し、
異なるサブキャリア幅が異なる最大シンボル数に対応することは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【００５６】
任意選択で、第1の制御チャネルによって占有されるシンボルの数は、第1の制御チャネルの時間領域リソース領域に含まれるシンボルの最大数以下であり、時間領域リソース領域は予め定義されるか、または、時間領域リソース領域は、システム情報、上位レイヤシグナリング、もしくは初期アクセス情報によって示される。
【００５７】
任意選択で、指示情報は、指示情報が送信されるスロットで送信される第1の制御チャネルによって占有されるシンボルの数を示す。
【００５８】
任意選択で、指示情報は、指示情報が送信されるスロットの後の第Mのスロットで送信される第1の制御チャネルによって占有されるシンボルの数を示し、Mは1以上の正の整数である。
【００５９】
任意選択で、指示情報は、指示情報が送信されるスロットの後の第Pのスロットから始まるN個の連続するスロットの各々で送信される第1の制御チャネルによって占有されるシンボルの数を示し、PおよびNは1より大きい正の整数である。
【００６０】
任意選択で、指示情報は、指示情報が送信されるサブフレームの第1のスロットにあり、
指示情報は、サブフレームに含まれる各スロットにおいて、第1の制御チャネルを送信するために使用される時間−周波数リソースを示す。
【００６１】
任意選択で、本方法は、
アクセスネットワークデバイスにより、第1の制御チャネルを送信するために使用される時間−周波数リソースを使用することによって制御情報を送信するステップ
をさらに含み、
制御情報は、第2の制御チャネルに使用されるサブキャリア幅を示すために使用されるか、または制御情報は、第2の制御チャネルのデータチャネルのサブキャリア幅に関する情報を示すために使用される。
【００６２】
任意選択で、制御情報は、第2の制御チャネルによって占有される時間領域リソース領域をさらに示す。
【００６３】
任意選択で、アクセスネットワークデバイスにより、指示情報を端末に送信するステップは、
アクセスネットワークデバイスにより、例えば無線リソース制御RRCシグナリングなどの上位レイヤシグナリングを使用することによって指示情報を端末に送信するステップ、または、
アクセスネットワークデバイスにより、例えばDCIなどのダウンリンク制御情報を使用することによって指示情報を端末に送信するステップ、または、
アクセスネットワークデバイスにより、例えば、物理制御フォーマットインジケータチャネルPCFICHなどの物理レイヤブロードキャストシグナリングを使用することによって指示情報を端末に送信するステップ
を含む。
【００６４】
第6の態様によれば、本願の一実施形態はリソース構成装置を提供し、リソース構成装置は、
指示情報を生成するように構成された処理ユニットであって、指示情報は、第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、処理ユニットと、
指示情報を端末に送信するように構成されたトランシーバユニットと、
を含む。
【００６５】
任意選択で、サブキャリア幅は第1のサブキャリア幅および第2のサブキャリア幅を含み、第1の制御チャネルによって占有されるシンボルの最大数は第1の最大シンボル数および第2の最大シンボル数を含み、第1の最大シンボル数は第1のサブキャリア幅に対応し、第2の最大シンボル数は第2のサブキャリア幅に対応し、
異なるサブキャリア幅が異なる最大シンボル数に対応することは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【００６６】
任意選択で、第1の制御チャネルによって占有されるシンボルの数は、第1の制御チャネルの時間領域リソース領域に含まれるシンボルの最大数以下であり、時間領域リソース領域は予め定義されるか、または、時間領域リソース領域は、システム情報、上位レイヤシグナリング、もしくは初期アクセス情報によって示される。
【００６７】
任意選択で、指示情報は、指示情報が送信されるスロットで送信される第1の制御チャネルによって占有されるシンボルの数を示す。
【００６８】
任意選択で、指示情報は、指示情報が送信されるスロットの後の第Mのスロットで送信される第1の制御チャネルによって占有されるシンボルの数を示し、Mは1以上の正の整数である。
【００６９】
任意選択で、指示情報は、指示情報が送信されるスロットの後の第Pのスロットから始まるN個の連続するスロットの各々で送信される第1の制御チャネルによって占有されるシンボルの数を示し、PおよびNは1より大きい正の整数である。
【００７０】
任意選択で、指示情報は、指示情報が送信されるサブフレームの第1のスロットにあり、
指示情報は、サブフレームに含まれる各スロットにおいて、第1の制御チャネルを送信するために使用される時間−周波数リソースを示す。
【００７１】
任意選択で、トランシーバユニットは、
第1の制御チャネルを送信するために使用される時間−周波数リソースを使用することによって制御情報を送信する
ようにさらに構成され、
制御情報は、第2の制御チャネルに使用されるサブキャリア幅を示すために使用されるか、または制御情報は、第2の制御チャネルのデータチャネルのサブキャリア幅に関する情報を示すために使用される。
【００７２】
任意選択で、制御情報は、第2の制御チャネルによって占有される時間領域リソース領域をさらに示す。
【００７３】
第7の態様によれば、本願の一実施形態はアクセスネットワークデバイスを提供し、アクセスネットワークデバイスは、
指示情報を生成するように構成されたプロセッサであって、指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する、プロセッサと、
指示情報を端末に送信するように構成されたトランシーバと、
を含む。
【００７４】
任意選択で、サブキャリア幅は第1のサブキャリア幅および第2のサブキャリア幅を含み、第1の制御チャネルによって占有されるシンボルの最大数は第1の最大シンボル数および第2の最大シンボル数を含み、第1の最大シンボル数は第1のサブキャリア幅に対応し、第2の最大シンボル数は第2のサブキャリア幅に対応し、
異なるサブキャリア幅が異なる最大シンボル数に対応することは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【００７５】
任意選択で、第1の制御チャネルによって占有されるシンボルの数は、第1の制御チャネルの時間領域リソース領域に含まれるシンボルの最大数以下であり、時間領域リソース領域は予め定義されるか、または、時間領域リソース領域は、システム情報、上位レイヤシグナリング、もしくは初期アクセス情報によって示される。
【００７６】
任意選択で、指示情報は、指示情報が送信されるスロットで送信される第1の制御チャネルによって占有されるシンボルの数を示す。
【００７７】
任意選択で、指示情報は、指示情報が送信されるスロットの後の第Mのスロットで送信される第1の制御チャネルによって占有されるシンボルの数を示し、Mは1以上の正の整数である。
【００７８】
任意選択で、指示情報は、指示情報が送信されるスロットの後の第Pのスロットから始まるN個の連続するスロットの各々で送信される第1の制御チャネルによって占有されるシンボルの数を示し、PおよびNは1より大きい正の整数である。
【００７９】
任意選択で、指示情報は、指示情報が送信されるサブフレームの第1のスロットにあり、
指示情報は、サブフレームに含まれる各スロットにおいて、第1の制御チャネルを送信するために使用される時間−周波数リソースを示す。
【００８０】
任意選択で、トランシーバは、
第1の制御チャネルを送信するために使用される時間−周波数リソースを使用することによって制御情報を送信する
ようにさらに構成され、
制御情報は、第2の制御チャネルに使用されるサブキャリア幅を示すために使用されるか、または制御情報は、第2の制御チャネルのデータチャネルのサブキャリア幅に関する情報を示すために使用される。
【００８１】
任意選択で、制御情報は、第2の制御チャネルによって占有される時間領域リソース領域をさらに示す。
【００８２】
第8の態様によれば、本願の一実施形態はコンピュータ記憶媒体を提供し、コンピュータ記憶媒体は、第6の態様または第7の態様で提供されるリソース構成装置によって使用されるコンピュータソフトウェア命令を格納するように構成され、コンピュータ記憶媒体は、第5の態様を実行するように設計されたプログラムを含む。
【図面の簡単な説明】
【００８３】
【図１】本願の一実施形態によるリソース構成方法の概略フローチャートである。
【図２】本願の一実施形態によるリソース指示の概略図である。
【図３】本願の一実施形態によるリソース指示の概略図である。
【図４】本願の一実施形態によるリソース指示の概略図である。
【図５】本願の一実施形態によるリソース指示の概略図である。
【図６】本願の一実施形態によるリソース指示の概略図である。
【図７】本願の一実施形態によるリソース構成装置の概略構成図である。
【図８】本願の一実施形態による端末の概略構成図である。
【図９】本願の一実施形態によるリソース構成装置の概略構成図である。
【図１０】本願の一実施形態によるアクセスネットワークデバイスの概略構成図である。
【発明を実施するための形態】
【００８４】
本願の実施形態は、様々な移動通信システム、例えば、移動体通信のためのグローバルシステム（Global System of Mobile communication、GSM（登録商標））システム、符号分割多元接続（Code Division Multiple Access、CDMA）システム、広帯域符号分割多元接続（Wideband Code Division Multiple Access、WCDMA（登録商標））システム、汎用パケット無線サービス（General Packet Radio Service、GPRS）、ロングタームエボリューション（Long Term Evolution、LTE）システム、高度化ロングタームエボリューション（Advanced long term evolution、LTE−A）システム、ユニバーサル移動体通信システム（Universal Mobile Telecommunication System、UMTS）、進化型ロングタームエボリューション（evolved Long Term Evolution、eLTE）システム、および5G移動通信システムに適用することができる。
【００８５】
以下では、当業者がより良く理解するのを助けるために、本願におけるいくつかの用語を説明する。
【００８６】
（1）端末：ユーザ機器（User Equipment、UE）とも呼ばれ、ユーザに音声および／またはデータの接続性を提供するデバイス、例えば、無線接続機能を有するハンドヘルドデバイスまたは車載デバイス。一般的な端末には、例えば、携帯電話、タブレットコンピュータ、ノートブックコンピュータ、パームコンピュータ、モバイルインターネットデバイス（mobile internet device、MID）、およびスマートウォッチ、スマートバンド、スマートカード、または歩数計などのウェアラブルデバイスが含まれる。
【００８７】
（2）アクセスネットワークデバイス：共通の基地局（例えば、NodeBまたはeNB）であってもよく、新しい無線コントローラ（New Radio controller、NR controller）であってもよく、5GシステムにおけるgNBであってもよく、集中型ユニット（Centralized Unit）であってもよく、新しい無線基地局であってもよく、遠隔無線ユニットであってもよく、マイクロ基地局であってもよく、リレー（relay）であってもよく、分散ユニット（Distributed Unit）であってもよく、あるいは、送信／受信ポイント（Transmission Reception Point、TRP）、送信ポイント（Transmission Point、TP）、または他の任意の無線アクセスデバイスであってもよい。これは、本願の実施形態において限定されない。
【００８８】
（3）シンボル：直交周波数分割多重（Orthogonal Frequency Division Multiplexing、OFDM）シンボル、スパースコード多重アクセス（Sparse Code Multiplexing Access、SCMA）シンボル、フィルタ処理された直交周波数分割多重（Filtered Orthogonal Frequency Division Multiplexing、F−OFDM）シンボル、および非直交多重アクセス（Non−Orthogonal Multiple Access、NOMA）シンボルを含むが、これらに限定されない。詳細は実際の状況に応じて決定することができ、ここでは説明しない。
【００８９】
（4）サブフレーム：サブフレームは、周波数領域ではシステム帯域幅全体の時間−周波数リソースを占有し、時間領域では一定の時間長、例えば1ミリ秒（ms）を占有する。加えて、サブフレームは、代替的にK個の連続したシンボルを占有することができ、ここでKは0より大きい自然数である。Kの値は実際の場合に応じて決定されてもよく、これは本明細書では限定されない。例えば、LTEでは、サブフレームは時間領域で14個の連続したOFDMシンボルを占有する。
【００９０】
（5）スロット：スロットは基本的な時間−周波数リソース要素であり、時間領域においてL個の連続したOFDMシンボルを占有し、ここでLは0より大きい自然数である。Lの値は実際の場合に応じて決定することができる。例えば、スロットは7個のOFDMシンボルを占有する。
【００９１】
（6）物理リソースブロック（Physical Resource Block、PRB）：時間−周波数リソース要素であり、時間領域で1サブフレームまたは1スロットを占有し、周波数領域でM個の連続したサブキャリアを占有し、ここでMは0より大きい自然数である。LTEでは、物理リソースブロックは、時間領域でサブフレームの14個の連続したOFDMシンボルを占有し、周波数領域で12個の連続したサブキャリアを占有する。
【００９２】
（7）サブキャリア幅：周波数領域における最小粒度。例えば、LTEでは、サブキャリアのサブキャリア幅は15kHzである。
【００９３】
上記の説明に基づいて、図1は、本願の実施形態によるリソース構成方法の概略フローチャートである。
【００９４】
図1を参照すると、本方法は以下のステップを含む。
【００９５】
ステップ101：アクセスネットワークデバイスが指示情報を生成し、指示情報は、第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する。
【００９６】
第1の制御チャネルに用いられるサブキャリア幅は、第1の制御チャネルを送信するために用いられるサブキャリア幅である。第1の制御チャネルを送信するために使用されるサブキャリア幅が増加すると、第1の制御チャネルによって占有される各シンボルの持続時間が短縮されるが、しかし、第1の制御チャネルによって占有される時間−周波数リソースの総数は変化しないままである。
【００９７】
スロット内で送信される第1の制御チャネルによって占有されるシンボルは、スロット内の初期シンボル（初期シンボルを含む）から始まる複数のシンボルであることに留意されたい。例えば、スロットnで送信された第1の制御チャネルは3つのシンボルを占有し、この場合、第1の制御チャネルによって占有されるシンボルは、スロットn内の最初の3つのシンボルである。
【００９８】
本願のこの実施形態では、第1の制御チャネルは、PDCCHまたはEPDCCHなどのチャネルを含むがこれらに限定されないことに留意されたい。
【００９９】
本願のこの実施形態では、第1の制御チャネルによって占有されるシンボルの最大数は、第1の制御チャネルの時間−周波数リソース内で使用することができるシンボルの最大数である。第1の制御チャネルを送信するために使用されるサブキャリア幅が増加すると、第1の制御チャネルによって占有される各シンボルの持続時間は短くなり、したがって、時間領域において第1の制御チャネルによって占有される最大時間が固定されている場合には、シンボルの最大数は、第1の制御チャネルに使用されるサブキャリア幅の増加と共に増加する。
【０１００】
各スロットの時間−周波数リソースは通常、制御領域およびデータ領域を含む。制御領域は制御情報を送信するために使用され、データ領域はデータを送信するために使用される。本願のこの実施形態では、第1の制御チャネルの時間−周波数リソースは、第1の制御チャネルが配置されているスロットの制御領域に含まれる時間−周波数リソースである。
【０１０１】
ステップ102：アクセスネットワークデバイスが指示情報を端末に送信する。
【０１０２】
アクセスネットワークデバイスは、指示情報を複数の方法で送信することができる。第1の可能な実施態様では、アクセスネットワークデバイスは、上位レイヤシグナリングを使用することによって指示情報を端末に送信する。例えば、上位レイヤシグナリングは、マスター情報ブロック（Master Information Block、MIB）、システム情報ブロック（System Information Block、SIB）、無線リソース制御（Radio Resource Control、RRC）シグナリング、または同様の特性を有する他の上位レイヤシグナリングを含む。
【０１０３】
第2の可能な実施態様では、アクセスネットワークデバイスは、例えば、ダウンリンク制御情報（Downlink Control Information、DCI）を使用することによって指示情報を端末に送信し、例えば、指示情報をダウンリンク制御チャネルの共通探索空間内で送信する。ダウンリンク制御チャネルのための時間−周波数リソースは、スロットまたはサブフレームの初期OFDMシンボルのうちの少なくとも1つのOFDMシンボルを含む。探索空間は、ダウンリンク制御チャネル用の時間−周波数リソースの一部である。共通探索空間内の制御情報は、セル内の一群の端末またはすべての端末によって受信することができる。
【０１０４】
第3の可能な実施態様では、アクセスネットワークデバイスは、例えばLTEのPCFICHチャネルで搬送されるブロードキャストシグナリングと同様に、物理レイヤブロードキャスト制御シグナリングを使用することによって指示情報を端末に送信するか、あるいは、物理レイヤブロードキャスト制御シグナリングによって占有される時間−周波数リソースは、スロットまたはサブフレームの初期OFDMシンボルのうちの少なくとも1つのOFDMシンボルを含み、物理レイヤブロードキャスト制御シグナリングは、セル内の一群の端末またはすべての端末によって検出および受信することができる。
【０１０５】
確かに、アクセスネットワークデバイスは代替的に他の方法で指示情報を送信することができる。実施例について、本明細書では個々に記載していない。
【０１０６】
ステップ103：端末が指示情報を受信し、指示情報は、第1の制御チャネルに使用されるサブキャリア幅を示すために使用される。
【０１０７】
ステップ104：端末が、指示情報に基づいて、第1の制御チャネルによって占有されるシンボルの数を決定し、第1の制御チャネルによって占有されるシンボルの数はシンボルの最大数以下である。
【０１０８】
例えば、第1の制御チャネルは最大4つのシンボルを占有することができるが、第1の制御チャネルは実際には2つのシンボルを使用することができ、この場合、第1の制御チャネルに使用されるシンボルの数はシンボルの最大数より少ない。
【０１０９】
ステップ101において、第1の制御チャネルの時間領域リソース領域は、アクセスネットワークデバイスと端末との間で予め定義されてもよく、あるいはシステム情報、上位レイヤシグナリング、または初期アクセス情報を用いてアクセスネットワークデバイスによって端末に示されてもよい。システム情報は、初期アクセスに使用される最も本質的なシステム情報、例えば、LTEにおけるマスター情報ブロック（Master information Block、MIB）であってもよく、または次世代システムにおける本質的システム情報ブロック（Essential System Information Block、eSIB）、システム情報ブロック（System Information Block、SIB）などと呼ばれる。初期アクセス情報は、ランダムアクセス応答（Random Access Response、RAR）、Message4などを含むことができる。Message4は、アクセスネットワークデバイスによってLTE内の端末に送信されるRRC確立または再確立コマンドであってもよい。
【０１１０】
例えば、アクセスネットワークデバイスは、RARを使用することによって、第1の制御チャネルの時間領域リソース領域を端末に示すことができる。RARは、少なくともアップリンクタイミングアドバンス（Timing Advance、TA）指示情報を含む。
【０１１１】
アクセスネットワークデバイスは、代替的に、Message4を使用することによって、第1の制御チャネルの時間領域リソース領域を端末に示すことができる。Message4は、アクセスネットワークデバイスによってLTE内の端末に送信されるRRC確立または再確立コマンドであってもよい。Message4は、少なくとも端末識別指示情報を含む。
【０１１２】
本願のこの実施形態では、第1の制御チャネルによって占有される時間−周波数リソースの面積は不変に維持される、すなわち、第1の制御チャネルによって占有される時間−周波数リソースの時間領域における持続時間と周波数領域における時間周波数リソースの帯域幅との積は不変に維持される。時間領域リソースはOFDMシンボルの数で表され、帯域幅はkHzの単位である。具体的には、サブキャリア幅は第1のサブキャリア幅と第2のサブキャリア幅とを含むことができ、第1の制御チャネルによって占有されるシンボルの最大数は第1の最大シンボル数と第2の最大シンボル数とを含み、第2の最大シンボル数に対する第1の最大シンボル数の比は、第2のサブキャリア幅に対する第1のサブキャリア幅の比に等しく、第1のサブキャリア幅は第2のサブキャリア幅とは異なる。第1の最大シンボル数は第1のサブキャリア幅に対応し、第2の最大シンボル数は第2のサブキャリア幅に対応する。
【０１１３】
例えば、図2（a）〜図2（c）は、本願の一実施形態による時間−周波数リソースの概略図である。図2（a）〜図2（c）に示すように、第1の制御チャネルが占有する時間周波数リソースのサイズが固定であり、第1の制御チャネルに異なるサブキャリア幅が用いられる場合、第1の制御チャネルは異なる数のシンボルを占有する。
【０１１４】
具体的には、図2（a）に示すように、第1の制御チャネルに15kHzのサブキャリア幅が用いられ、第1の制御チャネルが1シンボルを占有し、1シンボルが第1の最大シンボル数であり、15kHzが第1のサブキャリア幅であると仮定する。図2（b）に示すように、第1の制御チャネルには30kHzのサブキャリア幅が使用され、第1の制御チャネルは2シンボルを占有し、2つのシンボルが第2の最大シンボル数であり、30kHzが第2のサブキャリア幅であると仮定する。上記の仮定に基づいて、第2の最大シンボル数に対する第1の最大シンボル数の比は1／2であり、第2のサブキャリア幅に対する第1のサブキャリア幅の比も1／2である。
【０１１５】
図2（c）に示すように、第1の制御チャネルには60kHzのサブキャリア幅が用いられ、第1の制御チャネルは4シンボルを占有する。同様に、図2の（c）のサブキャリア幅を第1または第2のサブキャリア幅とし、シンボル数を第1または第2の最大シンボル数とし、これも、図2の（a）または図2の（b）の規則、すなわち、第2の最大シンボル数に対する第1の最大シンボル数の比が、第2のサブキャリア幅に対する第1のサブキャリア幅の比に等しいことに対応する。
【０１１６】
以上の説明を参照すると、本願のこの実施形態では、時間−周波数リソースにおいて使用されるサブキャリア幅と時間−周波数リソースに含まれるシンボルの最大数との間にマッピング関係がある。各時間周波数リソースで使用されるサブキャリア幅を決定した後に、端末は、各時間−周波数リソースで使用されるサブキャリア幅でマッピングされたシンボルの最大数を決定して、各時間−周波数リソースに含まれるシンボルの最大数を決定する。
【０１１７】
本願のこの実施形態では、アクセスネットワークデバイスは、第1の制御チャネルを送信するために第1の制御チャネルの時間領域リソース領域内のすべてのリソースを使用することができる。この場合、ステップ104において、端末は最初に指示情報に基づいて第1の制御チャネルに使用されるサブキャリア幅を決定することができ、次に、サブキャリア幅に基づいて、時間領域リソース領域に含まれるシンボルの最大数を決定し、そして最後に、時間領域リソース領域に含まれるシンボルの最大数を第1の制御チャネルによって占有されるシンボルの数として決定する。
【０１１８】
任意選択で、アクセスネットワークデバイスは、代替的に、第1の制御チャネルを送信するために第1の制御チャネルの時間領域リソース領域内のすべてのリソースを使用しなくてもよく、したがって、第1の制御チャネルによって占有されるシンボルの数は、第1の制御チャネルの時間領域リソース領域に含まれるシンボルの最大数以下である。第1の制御チャネルによって占有されるシンボルの具体的な数は、実際の場合に応じて決定する必要がある。例えば、第1の制御チャネルの時間領域リソース領域は最大4つの連続するシンボルを含むが、アクセスネットワークデバイスは第1の制御チャネルを送信するために最初の2つのシンボルだけを使用し、他のデータを送信するために残りの2つのシンボルを使用する。
【０１１９】
この場合、アクセスネットワークデバイスによって送信された指示情報は、第1の制御チャネルによって占有されるシンボルの数を示すためにさらに使用することができる。この実施態様では、指示情報と第1の制御チャネルとが同じスロットで送信されてもよく、または異なるスロットで送信されてもよいことに留意されたい。
【０１２０】
この場合、ステップ104において、端末は、指示情報に基づいて、第1の制御チャネルによって占有されるシンボルの数を直接決定することができる。
【０１２１】
第1の制御チャネルの時間−周波数リソース領域は、アクセスネットワークデバイスと端末との間で予め定義されているか、または上位レイヤシグナリングまたは初期アクセス情報を使用することによってアクセスネットワークデバイスによって端末に通知されており、したがって、指示情報によって示される、第1の制御チャネルによって占有されるシンボルの数は、第1の制御チャネルの時間−周波数リソース領域に含まれるシンボルの最大数を超えない。このようにして、指示情報を送信するために使用されるシグナリングが節約され、それによってリソースを削減する。
【０１２２】
第1の制御チャネルに使用されるサブキャリア幅と第1の制御チャネルによって占有されるシンボルの数との両方を示すための指示情報について複数の実施態様があり得る。可能な実施態様では、指示情報はKビットを含み、指示情報に含まれるKビットの異なる値は異なるサブキャリア幅および異なるシンボル数に対応する。
【０１２３】
例えば、表1は、指示情報とサブキャリア幅と実際のシンボル数との対応関係を示している。
【０１２４】
【表１】
2020503754.tif 000003
【０１２５】
もちろん、以上は一例に過ぎず、指示情報とサブキャリア幅と実際のシンボル数との間の対応関係は代替的に他の形態であってもよい。実施例について、本明細書では個々に記載していない。
【０１２６】
本願のこの実施形態では、指示情報は、指示情報と同じスロットで送信される第1の制御チャネルに使用されるサブキャリア幅および／または第1の制御チャネルによって占有されるシンボルの数を示すだけでなく、指示情報とは異なるスロットで送信される第1の制御チャネルに使用されるサブキャリア幅および／または第1の制御チャネルによって占有されるシンボルの数も示すことができる。様々なシナリオに基づいて、詳細な説明を以下に示す。
【０１２７】
第1のシナリオ：
アクセスネットワークデバイスによって送信される指示情報は、指示情報が送信されるスロットの後の第Mのスロットで送信される第1の制御チャネルに使用されるサブキャリア幅、および第Mのスロットで送信される第1の制御チャネルによって占有されるシンボルの数の少なくとも一方を示し、ここでMは1以上の正の整数である。
【０１２８】
例えば、指示情報はサブフレームn内にあり、指示情報が受信された後に、第（n＋M）のサブフレーム内の最初の制御チャネルに使用されるシンボルの数は、サブフレームn内の指示情報によって示されるシンボルの数である。
【０１２９】
この場合、ステップ104において、指示情報を受信した後に、端末は、指示情報が送信されたスロットの後の第Mのスロット内の指示情報に基づいて、第Mのスロット内の第1の制御チャネルに使用されるサブキャリア幅および第1の制御チャネルによって占有されるシンボルの数のうちの少なくとも一方を決定する。
【０１３０】
「指示情報が受信されたスロットの後の第Mのスロット」は指示情報が受信されたスロットを含まず、第Mのスロットと指示情報が端末によって受信されたスロットとの間にはM−1個のスロットがあることに留意されたい。第Mのスロット内の第1の制御チャネルに使用されるシンボルの数は変化してもよい。
【０１３１】
任意選択で、指示情報はダウンリンク制御指示情報であってもよい。ダウンリンク制御指示情報は、Mの値を示すために使用される指示情報をさらに含む。確かに、Mは代替的に予め設定された値であってもよく、またはMは上位レイヤシグナリングを使用することによってアクセスネットワークデバイスによって設定されてもよい。上位レイヤシグナリングを使用することによってアクセスネットワークデバイスによってMが設定されると、端末は、受信された上位レイヤシグナリング構成に基づいてMの値を決定する。
【０１３２】
例えば、図3は、本願の一実施形態によるリソース指示の概略図である。図3では、指示情報と同じスロットで送信される第1の制御チャネルには60kHzのサブキャリア幅が使用され、4つのシンボルを占有し、指示情報が送信されるスロットの後の第Mのスロットの最初のチャネルには30kHzのサブキャリア幅が使用され、第1の制御チャネルは1つのシンボルを占有する。前述の情報はすべて指示情報によって指示されてもよい。
【０１３３】
任意選択で、指示情報はDCIで搬送されてもよい。
【０１３４】
このシナリオでは、1つのスロットで送信される第1の制御チャネルに使用されるサブキャリア幅および／または第1の制御チャネルによって占有されるシンボルの数は、そのスロットの前のスロットで送信される指示情報によって示される。したがって、第1の制御チャネルリソースに使用されるサブキャリア幅および第1の制御チャネルリソースが占有するシンボル数をより柔軟に構成することができる。
【０１３５】
第2のシナリオ：
アクセスネットワークデバイスによって送信される指示情報は、指示情報が送信されるスロットの後の第Pのスロットから始まるN個の連続するスロットの各々において送信される第1の制御チャネルに使用されるサブキャリア幅、および／またはN個の連続するスロットの各々において送信される第1の制御チャネルによって占有されるシンボルの数を示すことができ、ここでPおよびNは1より大きい正の整数である。
【０１３６】
この場合、ステップ104において、端末は、指示情報が受信されたスロットの後の第Pのスロットから始まるN個の連続するスロット内の指示情報に基づいて、第1の制御チャネルによってN個のスロットの各々で占有されるシンボルの数を決定する。
【０１３７】
「指示情報が受信されたスロットの後の第Pのスロット」は指示情報が受信されたスロットを含まず、第Pのスロットと指示情報が端末によって受信されたスロットとの間にはP−1個のスロットがあることに留意されたい。第Pのスロットから始まるN個の連続するスロット内の第1の制御チャネルに使用されるシンボルの数は変化してもよい。さらに、N個のスロットは第Pのスロットを含む。Pおよび／またはNは、代替的に、予め設定された値であってもよく、あるいはPおよび／またはNは、上位レイヤシグナリングを使用することによってアクセスネットワークデバイスによって設定されてもよい。Pおよび／またはNが、上位レイヤシグナリングを使用することによってアクセスネットワークデバイスによって設定されると、端末は、受信された上位レイヤシグナリング構成に基づいて、Pの値および／またはNの値を決定する。
【０１３８】
例えば、指示情報はスロットn内にあり、指示情報が受信された後に、第1の制御チャネルによってスロットn＋P内に占有されたシンボルの数は、スロットn内で搬送される指示情報によって示すことができる。また、スロットn＋Pからスロットn＋P＋N−1までのN個の連続するスロットの各々において第1の制御チャネルに使用されるシンボルの数は、スロットnで搬送される指示情報によって示される。
【０１３９】
例えば、図4は、本願の一実施形態によるリソース表示の概略図である。図4では、指示情報はスロット0にあり、スロット0の後の第Pのスロットから始まるN個の連続するスロットはスロット1からスロット4である。スロット0の指示情報は、スロット1〜スロット4の各々において第1の制御チャネルに使用されるサブキャリア幅、および／または第1の制御チャネルが占有するシンボル数を示す。指示情報は、指示情報と同じスロット内の第1の制御チャネルに使用されるサブキャリア幅、および／または第1の制御チャネルによって占有されるシンボルの数をさらに示すことができる。スロット0の第1の制御チャネルには15 kHzのサブキャリア幅が使用され、スロット0の第1の制御チャネルは1つのシンボルを占有し、スロット1〜4の第1の制御チャネルには、それぞれ30 kHz、15 kHz、30 kHz、60 kHzのサブキャリア幅が使用され、第1の制御チャネルは、スロット1〜スロット4において、それぞれ2シンボル、1シンボル、2シンボル、4シンボルを占有する。
【０１４０】
任意選択で、このシナリオでは、指示情報が送信されるスロットはサブフレーム内の最初のスロットであってもよい。
【０１４１】
例えば、図5は、本願の一実施形態によるリソース表示の概略図である。図5において、無線フレームは、サブフレーム0〜サブフレーム9の10個のサブフレームを含む。サブフレーム0は、スロット0〜スロット4を含む。サブフレーム0内の各スロット内の第1の制御チャネルに使用されるサブキャリア幅および／または第1の制御チャネルによってサブフレーム0内の各スロット内で占有されるシンボルの数は、スロット0内の指示情報によって示すことができる。スロット0〜スロット4の第1の制御チャネルには、それぞれ15kHz、30kHz、15kHz、30kHz、60kHzのサブキャリア幅が用いられ、第1の制御チャネルはスロット0〜スロット4内の1シンボル、2シンボル、1シンボル、2シンボル、4シンボルをそれぞれ占有する。
【０１４２】
任意選択で、各スロットの開始位置で送信される第1の制御チャネルに加えて、1つのスロットは、データ領域内のデータチャネルと共に送信される第2の制御チャネルをさらに含む。
【０１４３】
本願のこの実施形態では、アクセスネットワークデバイスは、制御情報に基づいて、第2の制御チャネルに使用されるサブキャリア幅を示すために、第1の制御チャネルを通して制御情報を送信することができる。
【０１４４】
第2の制御チャネルの時間−周波数リソースはデータチャネル領域内にある。データチャネル領域は、図6に示すように、現在のスロットにおいて第1の制御チャネルによって占有される時間領域リソースとは異なる時間領域リソースである。第2の制御チャネルによって占有される時間領域リソースは、データ領域内の任意のOFDMシンボル内にあってもよい。図6において、スロット0とスロット1のデータ領域は、データチャネルが占有する時間領域リソース領域である。スロット0では、第2の制御チャネルがスロット内のデータ領域内で2つのシンボルを占有し、30kHzのサブキャリア幅が第2の制御チャネルに使用され、スロット1では、第2の制御チャネルがスロット内のデータ領域内で4つのシンボルを占有し、第2の制御チャネルには60kHzのサブキャリア幅が用いられる。第2の制御チャネルによってスロット0に占められている時間領域リソースと、第2の制御チャネルによってスロット1に占められている時間領域リソースとの両方を、スロット0内の第1の制御チャネルによって示すことができる。
【０１４５】
第1の可能なシナリオでは、制御情報は、第2の制御チャネルに使用されるサブキャリア幅を示すために使用される。
【０１４６】
このシナリオでは、第1の制御チャネルに関する制御情報を取得した後に、端末は、第2の制御チャネルに使用されるサブキャリア幅を決定し、第2の制御チャネルに使用されるサブキャリア幅に基づいて、第2の制御チャネルによって占有されるシンボルの数を決定することができる。
【０１４７】
第1の制御チャネルに対応する制御情報は、第1の制御チャネルと同じスロット内の第2の制御チャネルのサブキャリア幅を示すために使用されてもよいし、または第1の制御チャネルが配置されているスロットの後のスロット内の第2の制御チャネルのサブキャリア幅を示すために使用されてもよい。
【０１４８】
上述したように、本願のこの実施形態では、時間−周波数リソースにおいて使用されるサブキャリア幅と時間−周波数リソースに含まれるシンボルの最大数との間にマッピング関係がある。したがって、端末は、制御情報に基づいて、第2の制御チャネルに使用されるサブキャリア幅を決定し、次に、第2の制御チャネルに使用されるサブキャリア幅に基づいて、第2の制御チャネルによって占有される時間領域リソース領域に含まれるシンボルの最大数を決定し、そして最後に、第2の制御チャネルによって占有されるシンボルの数として、第2の制御チャネルによって占有される時間領域リソース領域に含まれるシンボルの最大数を決定することができる。
【０１４９】
第2の可能なシナリオでは、制御情報は、第2の制御チャネルのデータチャネルに使用されるサブキャリア幅を示すために使用される。
【０１５０】
このシナリオでは、第2の制御チャネルに使用されるサブキャリア幅は、第2の制御チャネルのデータチャネルに使用されるサブキャリア幅と同じである。第1の制御チャネルの制御情報を取得した後に、端末は、まず、データチャネルに使用されるサブキャリア幅に基づいて、第2の制御チャネルに使用されるサブキャリア幅、すなわち、データチャネルに使用されるサブキャリア幅を第2の制御チャネルに使用されるサブキャリア幅として使用することを決定することができ、次に、端末は、第2の制御チャネルに使用されるサブキャリア幅に基づいて、第2の制御チャネルによって占有される時間領域リソース領域に含まれるシンボルの最大数を決定し、最後に、端末は、第2の制御チャネルによって占有されるシンボルの数として、第2の制御チャネルによって占有される時間領域リソース領域に含まれるシンボルの最大数を決定する。
【０１５１】
同じ技術概念に基づいて、本願の一実施形態はリソース構成装置をさらに提供する。装置は、前述の方法の実施形態を実行することができる。
【０１５２】
図7は、本願の一実施形態によるリソース構成装置の概略構成図である。
【０１５３】
図7を参照すると、装置はトランシーバユニット701と処理ユニット702を含む。
【０１５４】
トランシーバユニット701は、指示情報を受信するように構成されている。指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する。
【０１５５】
第1の制御チャネルに使用されるサブキャリア幅は、第1の制御チャネルを送信するために使用されるサブキャリア幅であることに留意されたい。第1の制御チャネルを送信するために使用されるサブキャリア幅が増加すると、第1の制御チャネルによって占有される各シンボルの持続時間が短縮されるが、しかし、第1の制御チャネルによって占有される時間−周波数リソースの総数は変化しないままである。
【０１５６】
本願のこの実施形態では、第1の制御チャネルによって占有されるシンボルの最大数は、第1の制御チャネルの時間−周波数リソース内で使用することができるシンボルの最大数である。
【０１５７】
トランシーバユニット701の他の内容については、ステップ103の説明を参照されたく、ここでは詳細を繰り返さない。
【０１５８】
処理ユニット702は、指示情報に基づいて、第1の制御チャネルによって占有されるシンボルの数を決定し、第1の制御チャネルによって占有されるシンボルの数はシンボルの最大数以下である、ように構成される。
【０１５９】
任意選択で、サブキャリア幅は第1のサブキャリア幅と第2のサブキャリア幅とを含むことができ、第1の制御チャネルによって占有されるシンボルの最大数は第1の最大シンボル数と第2の最大シンボル数とを含む。第1の最大シンボル数は第1のサブキャリア幅に対応し、第2の最大シンボル数は第2のサブキャリア幅に対応する。
【０１６０】
異なるサブキャリア幅が異なる最大シンボル数に対応するということは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【０１６１】
任意選択で、第1の制御チャネルによって占有されるシンボルの数は、第1の制御チャネルの時間領域リソース領域に含まれるシンボルの最大数以下であり、時間領域リソース領域は予め定義されるか、あるいは、時間領域リソース領域は、システム情報、上位レイヤシグナリング、または初期アクセス情報によって示される。
【０１６２】
アクセスネットワークデバイスは、第1の制御チャネルを送信するために第1の制御チャネルの時間領域リソース領域内のいくつかのリソースを使用することができ、したがって、第1の制御チャネルによって占有されるシンボルの数は、第1の制御チャネルの時間領域リソース領域に含まれるシンボルの最大数以下である。具体的な内容については、ステップ102の説明を参照されたく、ここでは詳細を繰り返さない。
【０１６３】
システム情報は、初期アクセスに使用される最も本質的なシステム情報、例えば、LTEにおけるマスター情報ブロックであってもよく、次世代システムでは本質的システム情報ブロック、システム情報ブロックなどと呼ばれる。初期アクセス情報は、ランダムアクセス応答、Message4などを含むことができる。Message4は、アクセスネットワークデバイスによってLTE内の端末に送信されるRRC確立または再確立コマンドであってもよい。
【０１６４】
前述の内容の詳細については、ステップ102の説明を参照されたく、ここでは詳細を繰り返さない。
【０１６５】
上位レイヤシグナリングは、マスター情報ブロック、システム情報ブロック、RRCシグナリング、または同様の特性を有する他の上位レイヤシグナリングを含んでもよい。詳細については、ステップ104の説明を参照されたく、ここでは詳細を繰り返さない。
【０１６６】
任意選択で、処理ユニット702は具体的には、
サブキャリア幅に基づいて、時間領域リソース領域に含まれるシンボルの最大数を決定し、
時間領域リソース領域に含まれるシンボルの最大数を、第1の制御チャネルによって占有されるシンボルの数として決定する、
ように構成される。
【０１６７】
アクセスネットワークデバイスは、第1の制御チャネルを送信するために第1の制御チャネルの時間領域リソース領域内のすべてのリソースを使用することができ、したがって、第1の制御チャネルによって占有されるシンボルの数は、第1の制御チャネルの時間領域リソース領域に含まれるシンボルの最大数に等しい。具体的な内容については、ステップ102の説明を参照されたく、ここでは詳細を繰り返さない。
【０１６８】
任意選択で、指示情報は、第1の制御チャネルによって占有されるシンボルの数を示すためにさらに使用される。
【０１６９】
任意選択で、指示情報および第1の制御チャネルは同じスロット内にある。
【０１７０】
可能な実施態様では、指示情報は、物理レイヤブロードキャストシグナリング、例えば、PCFICHシグナリングであってもよい。物理レイヤブロードキャストシグナリングは、現在のスロット内の制御チャネルに使用されるシンボルの数を示すために使用される。
【０１７１】
可能な実施態様では、指示情報はKビットを含み、指示情報に含まれるKビットの異なる値は異なるサブキャリア幅および異なるシンボル数に対応する。
【０１７２】
指示情報の他の内容については、ステップ103およびステップ104の説明を参照されたく、ここでは詳細を繰り返さない。
【０１７３】
任意選択で、処理ユニット702は具体的には、
指示情報が受信されたスロットの後の第Mのスロット内の指示情報に基づいて、第1の制御チャネルによって第Mのスロットで占有されるシンボルの数を決定し、Mは1以上の正の整数である、
ように構成される。
【０１７４】
「指示情報が受信されたスロットの後の第Mのスロット」は指示情報が受信されたスロットを含まず、第Mのスロットと指示情報が端末によって受信されたスロットとの間にはM−1個のスロットがあることに留意されたい。
【０１７５】
任意選択で、処理ユニット702は具体的には、
指示情報が受信されたスロットの後の第Pのスロットから始まるN個の連続するスロット内の指示情報に基づいて、第1の制御チャネルによってN個のスロットの各々で占有されるシンボルの数を決定し、PおよびNは1より大きい正の整数である、
ように構成される。
【０１７６】
「指示情報が受信されたスロットの後の第Pのスロット」は指示情報が受信されたスロットを含まず、第Pのスロットと指示情報が端末によって受信されたスロットとの間にはP−1個のスロットがあることに留意されたい。
【０１７７】
任意選択で、Nは予め設定された値であるか、またはNは受信された上位レイヤシグナリング構成に基づいて装置によって決定される。
【０１７８】
任意選択で、トランシーバユニット701は、
第1の制御チャネルに関する制御情報を取得し、制御情報は、第2の制御チャネルに使用されるサブキャリア幅を示すために使用される、
ようにさらに構成される。
【０１７９】
処理ユニット702は、制御情報に基づいて、第2の制御チャネルによって占有されるシンボルの数を決定するようにさらに構成される。
【０１８０】
制御情報の他の内容については、ステップ104の説明を参照されたく、ここでは詳細を繰り返さない。
【０１８１】
任意選択で、制御情報は、第2の制御チャネルによって占有される時間領域リソース領域をさらに示す。
【０１８２】
処理ユニット702は具体的には、
第2の制御チャネルに使用されるサブキャリア幅に基づいて、第2の制御チャネルによって占有される時間領域リソース領域に含まれるシンボルの最大数を決定し、
第2の制御チャネルによって占有される時間領域リソース領域に含まれるシンボルの最大数を、第2の制御チャネルによって占有されるシンボルの数として決定する、
ように構成される。
【０１８３】
任意選択で、トランシーバユニット701は、
第1の制御チャネルに関する制御情報を取得し、制御情報は、第2の制御チャネルのデータチャネルに使用されるサブキャリア幅に関する情報を示すために使用される、
ようにさらに構成される。
【０１８４】
処理ユニット702は、データチャネルに使用されるサブキャリア幅に基づいて、第2の制御チャネルに使用されるサブキャリア幅を決定し、第2の制御チャネルに使用されるサブキャリア幅に基づいて、第2の制御チャネルによって占有されるシンボルの数を決定する、ようにさらに構成される。
【０１８５】
前述のユニットの分割は単に論理的機能分割であることを理解されたい。実際の実施態様では、ユニットの全部または一部を1つの物理的実体に統合してもよく、あるいは物理的に分離してもよい。本願のこの実施形態では、トランシーバユニット701はトランシーバによって実現されてもよく、または処理ユニット702はプロセッサによって実現されてもよい。図8に示すように、端末800は、プロセッサ801、トランシーバ802、およびメモリ803を含むことができる。メモリ803は、配信前に端末800に予めインストールされているプログラム／コードを格納するように構成されてもよく、あるいはプロセッサ801によって実行されるコードなどを格納してもよい。
【０１８６】
本願のこの実施形態による端末800は、本願の前述の実施形態におけるリソース構成方法における端末および本願のこの実施形態における端末800に対応することができ、端末800のユニットの前述のまたは他の動作および／または機能は、それぞれ、図1に示す方法の対応する手順を実施するために使用されることを理解されたい。簡潔にするために、本明細書では詳細を繰り返さない。
【０１８７】
同じ技術概念に基づいて、本願の一実施形態はリソース構成装置をさらに提供する。装置は、前述の方法の実施形態を実行することができる。
【０１８８】
図9は、本願の一実施形態によるリソース構成装置の概略構成図である。
【０１８９】
図9を参照すると、装置は処理ユニット901とトランシーバユニット902を含む。
【０１９０】
処理ユニット901は、指示情報を生成するように構成される。指示情報は第1の制御チャネルに使用されるサブキャリア幅を示すために使用され、第1の制御チャネルによって占有されるシンボルの最大数はサブキャリア幅によって決定され、異なるサブキャリア幅は異なる最大シンボル数に対応する。
【０１９１】
第1の制御チャネルに使用されるサブキャリア幅は、第1の制御チャネルを送信するために使用されるサブキャリア幅であることに留意されたい。第1の制御チャネルを送信するために使用されるサブキャリア幅が増加すると、第1の制御チャネルによって占有される各シンボルの持続時間が短縮されるが、しかし、第1の制御チャネルによって占有される時間−周波数リソースの総数は変化しないままである。
【０１９２】
本願のこの実施形態では、第1の制御チャネルによって占有されるシンボルの最大数は、第1の制御チャネルの時間−周波数リソース内で使用することができるシンボルの最大数である。
【０１９３】
第1の制御チャネルの他の内容については、ステップ101の説明を参照されたく、ここでは詳細は繰り返さない。
【０１９４】
トランシーバユニット902は、指示情報を端末に送信するように構成される。
【０１９５】
トランシーバユニット902は、指示情報を複数の方法で送信することができる。第1の可能な実施態様では、トランシーバユニット902は、上位レイヤシグナリングを使用することによって指示情報を端末に送信することができる。第2の可能な実施態様では、トランシーバユニット902はDCIを使用することによって指示情報を端末に送信することができる。第3の可能な実施態様では、トランシーバユニット902は、物理レイヤブロードキャスト制御シグナリングを使用することによって指示情報を端末に送信することができる。前述の実施態様の具体的な内容については、ステップ102の説明を参照されたく、ここでは詳細を繰り返さない。
【０１９６】
任意選択で、サブキャリア幅は第1のサブキャリア幅と第2のサブキャリア幅とを含むことができ、第1の制御チャネルによって占有されるシンボルの最大数は第1の最大シンボル数と第2の最大シンボル数とを含む。第1の最大シンボル数は第1のサブキャリア幅に対応し、第2の最大シンボル数は第2のサブキャリア幅に対応する。
【０１９７】
異なるサブキャリア幅が異なる最大シンボル数に対応するということは、
第2の最大シンボル数に対する第1の最大シンボル数の比が、第2のサブキャリア幅に対する第1のサブキャリア幅の比に等しく、第1のサブキャリア幅が第2のサブキャリア幅とは異なること
を含む。
【０１９８】
任意選択で、第1の制御チャネルによって占有されるシンボルの数は、第1の制御チャネルの時間領域リソース領域に含まれるシンボルの最大数以下であり、時間領域リソース領域は予め定義されるか、あるいは、時間領域リソース領域は、システム情報、上位レイヤシグナリング、または初期アクセス情報によって示される。
【０１９９】
装置は、第1の制御チャネルを送信するために第1の制御チャネルの時間領域リソース領域内のいくつかのリソースを使用することができ、したがって、第1の制御チャネルによって占有されるシンボルの数は、第1の制御チャネルの時間領域リソース領域に含まれるシンボルの最大数以下である。具体的な内容については、ステップ102の説明を参照されたく、ここでは詳細を繰り返さない。
【０２００】
システム情報は、初期アクセスに使用される最も本質的なシステム情報、例えば、LTEにおけるマスター情報ブロックであってもよく、次世代システムでは本質的システム情報ブロック、システム情報ブロックなどと呼ばれる。初期アクセス情報は、ランダムアクセス応答、Message4などを含むことができる。Message4は、アクセスネットワークデバイスによってLTE内の端末に送信されるRRC確立または再確立コマンドであってもよい。
【０２０１】
前述の内容の詳細については、ステップ102の説明を参照されたく、ここでは詳細を繰り返さない。
【０２０２】
任意選択で、指示情報は、指示情報が送信されるスロットで送信される第1の制御チャネルによって占有されるシンボルの数を示す。
【０２０３】
例えば、指示情報はKビットを含み、指示情報に含まれるKビットの異なる値は異なるサブキャリア幅および異なるシンボル数に対応する。
【０２０４】
指示情報の他の内容については、ステップ103の説明を参照されたく、ここでは詳細を繰り返さない。
【０２０５】
任意選択で、指示情報は、指示情報が送信されるスロットの後の第Mのスロットで送信される第1の制御チャネルによって占有されるシンボルの数を示し、Mは1以上の正の整数である。
【０２０６】
任意選択で、指示情報は、指示情報が送信されるスロットの後の第Pのスロットから始まるN個の連続するスロットの各々で送信される第1の制御チャネルによって占有されるシンボルの数を示し、PおよびNは1より大きい正の整数である。
【０２０７】
任意選択で、指示情報は、指示情報が送信されるサブフレームの第1のスロットにある。
【０２０８】
指示情報は、サブフレームに含まれる各スロットにおいて、第1の制御チャネルを送信するために使用される時間−周波数リソースを示す。
【０２０９】
任意選択で、トランシーバユニット902は、
第1の制御チャネルを送信するために使用される時間−周波数リソースを使用することによって制御情報を送信する
ようにさらに構成される。
【０２１０】
制御情報は、第2の制御チャネルに使用されるサブキャリア幅を示すために使用されるか、または制御情報は、第2の制御チャネルのデータチャネルのサブキャリア幅に関する情報を示すために使用される。
【０２１１】
任意選択で、制御情報は、第2の制御チャネルによって占有される時間領域リソース領域をさらに示す。
【０２１２】
前述のユニットの分割は単に論理的機能分割であることを理解されたい。実際の実施態様では、ユニットの全部または一部を1つの物理的実体に統合してもよく、あるいは物理的に分離してもよい。本願のこの実施形態では、トランシーバユニット902はトランシーバによって実現されてもよく、または処理ユニット901はプロセッサによって実現されてもよい。図10に示すように、アクセスネットワークデバイス1000は、プロセッサ1001、トランシーバ1002、およびメモリ1003を含むことができる。メモリ1003は、配信前にアクセスネットワークデバイス1000に予めインストールされているプログラム／コードを格納するように構成されていてもよく、あるいはプロセッサ1001が実行するコードなどを格納してもよい。
【０２１３】
本願のこの実施形態によるアクセスネットワークデバイス1000は、本願の上記実施形態のリソース構成方法におけるアクセスネットワークデバイスおよび本願のこの実施形態におけるアクセスネットワークデバイス1000に対応することができ、アクセスネットワークデバイス1000のユニットの前述のまたは他の動作および／または機能は、それぞれ、図1に示す方法の対応する手順を実施するために使用されることを理解されたい。簡潔にするために、本明細書では詳細を繰り返さない。
【０２１４】
本願のこの実施形態では、トランシーバは、有線トランシーバ、無線トランシーバ、またはそれらの組み合わせであってもよい。有線トランシーバは、例えば、イーサネット（登録商標）インターフェースであってもよい。イーサネット（登録商標）インターフェースは、光インターフェース、電気的インターフェース、またはそれらの組み合わせであってもよい。無線トランシーバは、例えば、無線ローカルエリアネットワークトランシーバ、セルラーネットワークトランシーバ、それらの組み合わせであってもよい。プロセッサは、中央処理装置（英語：central processing unit、略してCPU）、ネットワークプロセッサ（英語：network processor、略してNP）、またはCPUとNPの組み合わせであってもよい。プロセッサは、ハードウェアチップをさらに含んでもよい。ハードウェアチップは、特定用途向け集積回路（英語：application−specific integrated circuit、略してASIC）、プログラマブルロジックデバイス（英語：programmable logic device、略してPLD）、またはこれらの組み合わせであってもよい。PLDは、複合プログラマブルロジックデバイス（英語：complex programmable logic device、略してCPLD）、フィールドプログラマブルロジックゲートアレイ（英語：field−programmable gate array、略してFPGA）、ジェネリックアレイロジック（英語：generic array logic、略してGAL）、またはこれらの任意の組み合わせであってもよい。メモリは、ランダムアクセスメモリ（英語：random−access memory、略してRAM）などの揮発性メモリ（英語：volatile memory）を含んでもよく、あるいは、メモリは、読み出し専用メモリ（英語：read−only memory、略してROM）、フラッシュメモリ（英語：flash memory）、ハードディスクドライブ（英語：hard disk drive、略してHDD）、またはソリッドステートドライブ（英語：solid−state drive、略してSSD）などの不揮発性メモリ（英語：non−volatile memory）を
含んでもよく、あるいは、メモリは、前述のカテゴリのメモリの組み合わせを含んでもよい。
【０２１５】
図8および図10において、バスインターフェースをさらに含むことができる。バスインターフェースは、プロセッサによって代表される1つまたは複数のプロセッサならびにメモリによって代表されるメモリである回路によって互いに具体的に接続される任意の数の相互接続されたバスおよびブリッジを含むことができる。バスインターフェースは、周辺デバイス、電圧安定化装置、および電力管理回路などの他の様々な回路をさらに相互に接続することができる。これらは当技術分野において周知であり、したがって本明細書ではこれ以上説明しない。バスインターフェースはインターフェースを提供する。トランシーバは、伝送媒体上の他の様々なデバイスと通信するユニットを提供する。プロセッサは、バスアーキテクチャおよび一般的な処理の管理を担当し、メモリは、動作中にプロセッサによって使用されるデータを格納することができる。
【０２１６】
本願は、本アプリケーションの実施形態による方法、デバイス（システム）、およびコンピュータプログラム製品のフローチャートおよび／またはブロック図を参照して説明されている。コンピュータプログラム命令を使用して、フローチャートおよび／またはブロック図における各プロセスおよび／または各ブロック、ならびにフローチャートおよび／またはブロック図におけるプロセスおよび／またはブロックの組み合わせを実施することができることを理解されたい。これらのコンピュータプログラム命令は、機械を生成するために、汎用コンピュータ、専用コンピュータ、組み込みプロセッサ、または任意の他のプログラム可能なデータ処理デバイスのプロセッサに提供することができ、その結果、コンピュータまたは任意の他のプログラム可能なデータ処理デバイスのプロセッサは、フローチャート内の1つもしくは複数のプロセスおよび／またはブロック図の1つもしくは複数のブロックの特定の機能を実現するための装置を生成する。
【０２１７】
これらのコンピュータプログラム命令は、コンピュータまたは他のプログラム可能なデータ処理デバイスが特定の仕方で動作するように命令することができるコンピュータ可読メモリに格納され、コンピュータ可読メモリに格納された命令が命令装置を含むアーティファクトを生成する。命令装置は、フローチャートの1つもしくは複数のプロセスおよび／またはブロック図の1つもしくは複数のブロックの特定の機能を実現する。
【０２１８】
これらのコンピュータプログラム命令は、コンピュータまたは別のプログラム可能なデータ処理デバイスにロードすることができ、コンピュータまたは別のプログラム可能なデバイス上で一連の動作およびステップが実行され、それによってコンピュータにより実行される処理が生成される。したがって、コンピュータまたは別のプログラム可能なデバイス上で実行される命令は、フローチャートの1つもしくは複数のプロセスおよび／またはブロック図の1つもしくは複数のブロックの特定の機能を実現するステップを提供する。
【０２１９】
本願の好ましい実施形態について説明したが、当業者は基本的な発明概念を学べばこれらの実施形態の変更および修正を行うことができる。したがって、添付の特許請求の範囲は、好ましい実施形態ならびに本願の範囲内にあるすべての変更および修正を包含すると解釈することが意図されている。
【０２２０】
明らかに、当業者は、本願の範囲から逸脱することなく、本願に対して様々な修正および変形を行うことができる。本願は、添付の特許請求の範囲によって定義される保護の範囲内に入るという条件で、本願のこれらの修正および変形を包含することが意図されている。
【符号の説明】
【０２２１】
701  トランシーバユニット
702  処理ユニット
800  端末
801  プロセッサ
802  トランシーバ
803  メモリ
901  処理ユニット
902  トランシーバユニット
1000  アクセスネットワークデバイス
1001  プロセッサ
1002  トランシーバ
1003  メモリ
【図１】
2020503754.tif 000004
【図２】
2020503754.tif 000005
【図３】
2020503754.tif 000006
【図４】
2020503754.tif 000007
【図５】
2020503754.tif 000008
【図６】
2020503754.tif 000009
【図７】
2020503754.tif 000010
【図８】
2020503754.tif 000011
【図９】
2020503754.tif 000012
【図１０】
2020503754.tif 000013
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
リソース構成方法であって、
端末により、指示情報を受信するステップであって、前記指示情報は第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、ステップと、
前記端末により、前記指示情報に基づいて、前記第1の制御チャネルによって占有されるシンボルの数を決定するステップであって、前記第1の制御チャネルによって占有される前記シンボルの数は前記シンボルの最大数以下である、ステップと、
を含む方法。
【請求項２】
前記サブキャリア幅は第1のサブキャリア幅および第2のサブキャリア幅を含み、前記第1の制御チャネルによって占有される前記シンボルの最大数は第1の最大シンボル数および第2の最大シンボル数を含み、前記第1の最大シンボル数は前記第1のサブキャリア幅に対応し、前記第2の最大シンボル数は前記第2のサブキャリア幅に対応し、
異なるサブキャリア幅が異なる最大シンボル数に対応することは、
前記第2の最大シンボル数に対する前記第1の最大シンボル数の比が、前記第2のサブキャリア幅に対する前記第1のサブキャリア幅の比に等しく、前記第1のサブキャリア幅が前記第2のサブキャリア幅とは異なること
を含む、請求項1に記載の方法。
【請求項３】
前記第1の制御チャネルによって占有される前記シンボルの数は、前記第1の制御チャネルの時間領域リソース領域に含まれるシンボルの最大数以下であり、前記時間領域リソース領域は予め定義されるか、または、前記時間領域リソース領域は、システム情報、上位レイヤシグナリング、もしくは初期アクセス情報によって示される、請求項1または2に記載の方法。
【請求項４】
前記端末により、前記指示情報に基づいて、前記第1の制御チャネルによって占有されるシンボルの数を決定する前記ステップは、
前記端末により、前記サブキャリア幅に基づいて、時間領域リソース領域に含まれる前記シンボルの最大数を決定するステップと、
前記端末により、前記時間領域リソース領域に含まれる前記シンボルの最大数を、前記第1の制御チャネルによって占有される前記シンボルの数として決定するステップと、
を含む、請求項1から3のいずれか一項に記載の方法。
【請求項５】
前記指示情報は、前記第1の制御チャネルによって占有される前記シンボルの数を示すためにさらに使用される、請求項1または2に記載の方法。
【請求項６】
前記指示情報および前記第1の制御チャネルは同じスロット内にある、請求項5に記載の方法。
【請求項７】
前記端末により、前記指示情報に基づいて、前記第1の制御チャネルによって占有されるシンボルの数を決定する前記ステップは、
前記端末により、前記指示情報が受信されたスロットの後の第Mのスロット内の前記指示情報に基づいて、前記第1の制御チャネルによって前記第Mのスロットで占有されるシンボルの数を決定するステップであって、Mは1以上の正の整数である、ステップ
を含む、請求項5に記載の方法。
【請求項８】
前記端末により、前記指示情報に基づいて、前記第1の制御チャネルによって占有されるシンボルの数を決定する前記ステップは、
前記端末により、前記指示情報が受信されたスロットの後の第Pのスロットから始まるN個の連続するスロット内の前記指示情報に基づいて、前記第1の制御チャネルによって前記N個のスロットの各々で占有されるシンボルの数を決定するステップであって、PおよびNは1より大きい正の整数である、ステップ
を含み、
Nは予め設定された値であるか、またはNは受信された上位レイヤシグナリング構成に基づいて前記端末によって決定される、請求項1または2に記載の方法。
【請求項９】
前記端末により、前記指示情報に基づいて、前記第1の制御チャネルによって占有されるシンボルの数を決定する前記ステップの後に、前記方法は、
前記端末により、前記第1の制御チャネルに関する制御情報を取得するステップであって、前記制御情報は、第2の制御チャネルに使用されるサブキャリア幅を示すために使用される、ステップと、
前記端末により、前記制御情報に基づいて、前記第2の制御チャネルによって占有されるシンボルの数を決定するステップと、
をさらに含む、請求項1から8のいずれか一項に記載の方法。
【請求項１０】
前記制御情報は、前記第2の制御チャネルによって占有される時間領域リソース領域をさらに示し、
前記端末により、前記制御情報に基づいて、前記第2の制御チャネルによって占有されるシンボルの数を決定する前記ステップは、
前記端末により、前記第2の制御チャネルに使用される前記サブキャリア幅に基づいて、前記第2の制御チャネルによって占有される前記時間領域リソース領域に含まれるシンボルの最大数を決定するステップと、
前記端末により、前記第2の制御チャネルによって占有される前記時間領域リソース領域に含まれる前記シンボルの最大数を、前記第2の制御チャネルによって占有される前記シンボルの数として決定するステップと、
を含む、請求項9に記載の方法。
【請求項１１】
前記端末により、前記指示情報に基づいて、前記第1の制御チャネルによって占有されるシンボルの数を決定する前記ステップの後に、前記方法は、
前記端末により、前記第1の制御チャネルに関する制御情報を取得するステップであって、前記制御情報は、第2の制御チャネルのデータチャネルに使用されるサブキャリア幅に関する情報を示すために使用される、ステップと、
前記端末により、前記データチャネルに使用される前記サブキャリア幅に基づいて、前記第2の制御チャネルに使用されるサブキャリア幅を決定するステップと、
前記端末により、前記第2の制御チャネルに使用される前記サブキャリア幅に基づいて、前記第2の制御チャネルによって占有されるシンボルの数を決定するステップと、
をさらに含む、請求項1から8のいずれか一項に記載の方法。
【請求項１２】
リソース構成方法であって、
アクセスネットワークデバイスにより、指示情報を生成するステップであって、前記指示情報は、第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、ステップと、
前記アクセスネットワークデバイスにより、前記指示情報を端末に送信するステップと、
を含む方法。
【請求項１３】
リソース構成装置であって、
指示情報を受信するように構成されたトランシーバユニットであって、前記指示情報は第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、トランシーバユニットと、
前記指示情報に基づいて、前記第1の制御チャネルによって占有されるシンボルの数を決定するように構成された処理ユニットであって、前記第1の制御チャネルによって占有される前記シンボルの数は前記シンボルの最大数以下である、処理ユニットと、
を含む装置。
【請求項１４】
リソース構成装置であって、
指示情報を生成するように構成された処理ユニットであって、前記指示情報は、第1の制御チャネルに使用されるサブキャリア幅を示すために使用され、前記第1の制御チャネルによって占有されるシンボルの最大数は前記サブキャリア幅によって決定され、異なるサブキャリア幅は異なる最大シンボル数に対応する、処理ユニットと、
前記指示情報を端末に送信するように構成されたトランシーバユニットと、
を含む装置。
【請求項１５】
コンピュータ記憶媒体であって、コンピュータプログラム命令が前記コンピュータ記憶媒体に格納され、前記コンピュータプログラム命令がプロセッサによって実行されたときに、請求項1から11のいずれか一項に記載の方法が実施される、コンピュータ記憶媒体。
【国際調査報告】
2020503754.tif 000014
2020503754.tif 000015
2020503754.tif 000016
2020503754.tif 000017